(57)【要約】【課題】毛髪を傷めることなく短時間でセットをすることができるとともに、様々な大きさのカールを容易に形成できる、持ち運び容易な毛髪セット用具及びセット方法を提供する。【解決手段】毛髪のセット用具１は、毛髪処理剤が吸液されている毛髪セット用シート体２を備えている。また、毛髪束４を包囲するシート体２と、前記シート体２に包囲された前記毛髪束４を巻き回した状態に維持、固定する固定部材とを有しており、前記シート体２が、毛髪処理剤を吸液しているものである。さらに、毛髪のセット方法は、毛髪束４をシート体２により包囲する工程と、前記シート体２に包囲された前記毛髪束を巻き回して、前記巻き回した状態に維持、固定する工程とを有している。【選択図】図１
2009112801.tif 000002
【特許請求の範囲】
【請求項１】
毛髪処理剤が吸液されている毛髪セット用シート体を備えていることを特徴とする毛髪のセット用具。
【請求項２】
毛髪束を包囲するシート体と、
前記シート体に包囲された前記毛髪束を、巻き回した状態に維持、固定する固定部材とを有しており、
前記シート体に毛髪処理剤が吸液されていることを特徴とする毛髪のセット用具。
【請求項３】
前記固定部材が、対向する一対のクリップ片を有するクリップからなり、
前記クリップ片が、前記毛髪束を固定する部位において、湾曲形状を有しているものであることを特徴とする請求項２に記載の毛髪のセット用具。
【請求項４】
前記クリップの前記一対のクリップ片が、第１クリップ片と、第２クリップ片とを有し、
前記第２クリップ片の長手方向の長さが、前記第１クリップ片の長手方向の長さよりも短いことを特徴とする請求項２又は３に記載の毛髪のセット用具。
【請求項５】
前記第１クリップ片が、細い棒状のものであることを特徴とする請求項４に記載の毛髪のセット用具。
【請求項６】
対向する一対のクリップ片を有する固定部材と、
両端の縁部に凹凸が設けられており、毛髪束が巻き付けられる中空円筒状のロッドと、
前記ロッドの一端の凸部と他端の凸部との各々に引っ掛けられる孔を有しており、前記ロッドの中空において前記ロッドの一端と他端との間に掛架される掛架部材とを備えていることを特徴とする請求項１に記載の毛髪のセット用具。
【請求項７】
前記ロッドの前記一端の凸部と前記他端の凸部との各々に引っ掛けられることにより、前記ロッドの外周面において前記ロッドの一端と他端との間に掛架される環状部材を備えていることを特徴とする請求項６に記載の毛髪のセット用具。
【請求項８】
前記毛髪処理剤は、速乾性、形状記憶性を有しているものであることを特徴とする請求項１〜７のいずれか１項に記載の毛髪のセット用具。
【請求項９】
前記シート体の内部に金属又は樹脂が含まれていることを特徴とする請求項１〜８に記載のシート体。
【請求項１０】
毛髪束をシート体により包囲する工程と、
前記シート体に包囲された前記毛髪束を巻き回して、前記巻き回した状態に維持、固定する工程とを有していることを特徴とする毛髪のセット方法。
【請求項１１】
前記毛髪束をシート体により包囲した後に、
前記シート体により包囲された前記毛髪束の先端を長手方向の長さの異なる一対のクリップ片を備えた固定部材で挟持する挟持工程と、
前記一対のクリップ片のうち長手方向の長い第１クリップ片を中心に前記毛髪束を巻き回す巻き回し工程と、
前記巻き回し工程後に、前記第１クリップ片を前記巻き回した毛髪束の中心に残したまま、前記巻き回した毛髪束から長手方向の長さが短い第２クリップ片の長手方向の長さと同じ長さ又はそれ以上の長さに前記固定部材を抜き取る抜き取り工程と、
前記一対のクリップ片を開きがら前記第１クリップ片を前記巻き回した毛髪束の中心に挿入し、前記第１クリップ片と前記第２クリップ片とで前記巻き回した毛髪束を径方向に挟持し前記巻き回した状態を固定する固定工程とを有していることを特徴とする請求項１０に記載の毛髪のセット方法。
【請求項１２】
前記毛髪束をシート体により包囲した後に、
前記シート体により包囲された前記毛髪束の先端を固定部材でロッドに固定する第１固定工程と、
前記固定した位置から前記毛髪束を前記ロッドに巻き付ける巻き付け工程と、
前記巻き付け工程後に前記固定部材を前記ロッドから抜き取る抜き取り工程と、
前記毛髪束を前記ロッドに巻き付けた状態を固定する第２固定工程とを有していることを特徴とする請求項１０に記載の毛髪のセット方法。
【請求項１３】
前記シート体に毛髪処理剤をしみこませる工程をさらに有していることを特徴とする請求項１０〜１２のいずれか１項に記載の毛髪のセット方法。
【発明の詳細な説明】
【技術分野】
【０００１】
本発明は、毛髪セット用のシート体、毛髪のセット用具及び毛髪のセット方法に関するものである。
【背景技術】
【０００２】
毛髪をセットするための装置として、ヘアードライヤー、ヘアーアイロン、ヘアーカール器等の髪に熱を加えて熱の作用でセットするものが公知となっている。また、例えば、下記特許文献に開示されているものが知られている。特許文献１に開示されているブラシ付ヘアードライヤーは、ドライヤーに接続されるブラシ本体の植毛部分側に設けた吹出し口から適宜な温度の風が吹き出し、前記ブラシ本体の側方部分と背面部分とに吹出し口が設けられているので、ブラシ本体の側方部分から背面部分にも温風等が吹き出すようになり、髪の毛をウェーブさせたり若しくはカールさせたりする時に、ブラシ本体の側方部分の曲面部分を押し当てる型付け作用と、前記温風等の熱作用とが協同して、毛髪に所望の癖を容易に付けることができる。
【０００３】
また、特許文献２に開示されている髪型のセット装置は、一束の毛髪を巻き付ける空洞体形状を有している一組の支持体と、温風を発生し、空気供給ホースを介して一組の毛髪支持体の各支持体に連結される装置とを有しているものであり、前記支持体が空洞筒の形状を有し、前記空洞筒に対向する面に穴が設けられているので、温風が空洞筒に巻き付けられた毛髪に向かって排出でき、従来可能であったものより短時間で、少なくとも毛髪の一部にとってより過酷でない処理で髪型をセットすることができる。
【０００４】
【特許文献１】特開平１０−１７９２３８号公報
【特許文献２】特開平０５−８４１１３号公報
【発明の開示】
【発明が解決しようとする課題】
【０００５】
しかしながら、上述のセット装置は、毛髪に熱を加えるため、髪の水分量の極端な減少や髪の蛋白質の変性等によって毛髪が傷んでしまいやすい。また、毛髪を複数の部分に分けて順にカールしていく必要があるのでセットが終了するまでに多少の時間がかかることがあるとともに、上述した装置においては、カールの大きさ等が各々の装置に応じて定まっているため一台の装置で異なる大きさのカールを容易に形成しにくい。さらに、外出先、例えば、旅行先等で、毛髪をセットしたい場合には、上述した装置を持ち運ぶとともに熱源の存在するところでセットをする必要がある。
【０００６】
本発明は上記問題点に鑑みてなされたものであり、毛髪を傷めることなく短時間で容易にセットをすることができるとともに様々な大きさのカールを形成できる、持ち運び容易な毛髪セット用シート体、毛髪のセット用具及び毛髪のセット方法を提供することを目的とする。
【課題を解決するための手段及び効果】
【０００７】
本発明の毛髪のセット用具は、毛髪処理剤が吸液されている毛髪セット用シート体を備えている。これによると、毛髪セット用シート体で毛髪を包囲し、包囲した毛髪を所定時間所望の形状に保持させておくと、所望の形状へ毛髪をセットすることができる。なお、シート体で包囲した毛髪束を巻き回してカールを形成する場合などは、毛髪束の先端を巻き回した円筒状の中心に押入することにより巻き回した状態を維持、固定できる。また、維持、固定に際しては、クリップなどの固定部材を用いると固定がより安定に行える。
【０００８】
本発明の毛髪のセット用具は、毛髪束を包囲するシート体と、前記シート体に包囲された前記毛髪束を、巻き回した状態に維持、固定する固定部材とを有しており、前記シート体に毛髪処理剤が吸液されているものである。また、前記毛髪処理剤が、速乾性及び形状記憶性を有するものを用いることが好ましい。速乾性としては、例えば、アルコール成分等を含んでいるものを用いることが好ましい。また、形状記憶性としては、例えば、アクリル樹脂等の形状記憶性等を有しているものを用いることが好ましく、例えば、ヘアー用スタイリング剤においては、ローションやミスト等を用いることが好ましい。
【０００９】
上記構成によると、短時間で容易にセットをすることができるとともに、巻き回しの大きさを変えることにより様々な大きさのカールを形成できる、持ち運び容易な毛髪のセット用具を提供することができる。また、従来のセット装置では熱によってセットが行われていたが、熱を加えることなく、毛髪のセットをすることができるので、毛髪を傷めにくくなるとともに、熱の電源を必要としないため何処でも使用することができる。さらに、シート体により包囲した毛髪束を巻き回した状態に維持、固定している間は、手を加える必要がないので、該維持、固定している間は、他の作業、準備に支障をきたさないものとなる。加えて、シート体に吸液されている毛髪処理剤によって、毛髪にカールの形状をより強固に記憶させることができるとともに、セットの持続時間をより長くすることができる。そして、複数のシート体と、固定部材とからなる毛髪のセット用具であるので、従来の器具よりも製造コストを抑えることができる。
【００１０】
また、本発明の毛髪のセット用具は、前記固定部材が、対向する一対のクリップ片を有するクリップからなり、前記クリップ片が、前記毛髪束を固定する部位において、湾曲形状を有しているものであることが好ましい。ここで、固定する部位、すなわち、固定部位とは、前記シート体に包囲された前記毛髪束と前記固定部材とが当接している部位である。
【００１１】
上記構成によると、固定部材による固定部位においてもカールを形成することができるので、よりきれいなカールを形成することができる毛髪セット用具を提供することができる。
【００１２】
また、本発明の毛髪のセット用具の固定部材は、前記クリップの前記一対のクリップ片が、第１クリップ片と、第２クリップ片とを有し、前記第２クリップ片の長手方向の長さが、前記第１クリップ片の長手方向の長さよりも短いものであることが好ましい。特に、前記第１クリップ片が、細い棒状のものであることが好ましい。
【００１３】
上記構成によると、シート体に包囲された毛髪束の先端を固定部材で挟持して、固定部材を中心に毛髪束を巻き回すことができる。また、巻き回した状態において、第２クリップ片の長手方向の長さ分だけ、固定部材を毛髪束から抜き取り、第１クリップ片を毛髪束の巻き回しの中心に残したまま、第２クリップ片を巻き回した毛髪束の最外周に載置して巻き回した状態を固定部材で固定できる。これによって、毛髪束の巻き回しを容易にできるとともに、巻き回した状態を崩すことなく巻き回した状態を容易に固定できる。したがって、毛髪のセットをより容易かつ正確に行える。また、固定部材を中心に毛髪束を巻き回すので、複数の巻き回しの径にばらつきが生じにくくなり、セットの質をより向上させることができる。さらに、巻き回しの中心となる第１クリップ片が細い棒状のものであれば、固定部材の抜き取りが容易であるとともに、巻き回しをより小さく安定的に形成でき、巻き回しの巻き付け強度を自在にできる。
【００１４】
また、別の観点として、本発明の毛髪のセット用具は、対向する一対のクリップ片を有する固定部材と、両端の縁部に凹凸が設けられており、毛髪束が巻き付けられる中空円筒状のロッドと、前記ロッドの一端の凸部と他端の凸部との各々に引っ掛けられる孔を有しており、前記ロッドの中空において前記ロッドの一端と他端との間に掛架される掛架部材とを備えていることが好ましい。また、前記ロッドの前記一端の凸部と前記他端の凸部との各々に引っ掛けられることにより、前記ロッドの外周面において前記ロッドの一端と他端との間に掛架される環状部材を備えていることが好ましい。ここで、上記掛架部材や環状部材として、例えば、ゴムなどの弾性部材を用いることができる。
【００１５】
上記構成によると、固定部材で毛先をロッドに固定して毛髪束をロッドに巻きつけることができるので、複数の巻き回しの径にばらつきが生じにくくなるとともに巻き付けを安定して行えるので、セットの質をより向上させることができる。特に、ロッドに挿入していないクリップ片とロッドとの間に毛先を挟持し毛先をロッドに固定できるので、ロッドへの毛髪束の巻き付けに熟練を必要とせず、容易に巻き付けを行える。また、掛架部材によってロッドに挿入されたクリップ片をロッドに固定できるので、クリップ片とロッドとの大きさが異なっていてもセットを行うことができる。したがって、カールの大きさに合わせてロッドを交換してもクリップ片を交換する必要がない。さらに、巻き付けた後にシート体にパーマ液を染み込ませることにより、パーマを容易に行える。これにより、熟練を必要とせずにセット作業やパーマを容易に行えるとともに、パーマ液や毛髪処理剤の浸透に必要な隙間を容易に確保できる。また、毛髪束をロッドに巻き付けた後に、巻き付けた状態をクリップ片で容易に固定できる。そして、クリップ片で固定した後に環状部材での固定に変えると、１つのセット用具に対してクリップが１つで足りるとともにパーマ液を浸透させてもクリップ片の腐食の心配がない。
【００１６】
また、本発明の毛髪のセット用具のシート体に吸液されている毛髪処理剤は、速乾性、形状記憶性を有しているものが好ましい。これによって、セットをより迅速に行えるとともに長時間きれいなセットを維持させることができる。
【００１７】
また、本発明の毛髪のセット用具のシート体の内部に金属又は樹脂が含まれていることが好ましい。これによって、毛髪束を包囲したシート体を所望の形状に安定して固定させることができる。なお、内部に金属又は樹脂を含ませたシート体として、例えば複数の細い金属棒をシート体に埋め込まれたシート体や金属粒子や樹脂が分散されて内部に含まれているシート体などが挙げられるがこれらのものに限られない。また、金属や樹脂の種類は特に限定されない。
【００１８】
また、本発明の毛髪のセット方法は、毛髪束をシート体により包囲する工程と、前記シート体に包囲された前記毛髪束を巻き回して、前記巻き回した状態に維持、固定する工程とを有しているものである。
【００１９】
上記構成によると、短時間で容易にセットをすることができるとともに、巻き回しの大きさを変えることにより様々な大きさのカールを容易に形成できる毛髪のセット方法を提供することができる。また、従来のセット方法における熱を加える工程を要することなく、毛髪をセットすることができるので、毛髪を傷めにくくなるとともに、熱の電源を必要としないため、何処でも行うことができる。さらに、シート体で包囲した毛髪束を巻き回した状態に維持、固定している間は、手を加える必要がないので、巻き回した状態に維持、固定する工程の間は、他の作業、準備に支障をきたさない。
【００２０】
また、本発明の毛髪のセット方法は、前記毛髪束をシート体により包囲した後に、前記シート体により包囲された前記毛髪束の先端を長手方向の長さの異なる一対のクリップ片を備えた固定部材で挟持する挟持工程と、前記一対のクリップ片のうち長手方向の長い第１クリップ片を中心に前記毛髪束を巻き回す巻き回し工程と、前記巻き回し工程後に、前記第１クリップ片を前記巻き回した毛髪束の中心に残したまま、前記巻き回した毛髪束から長手方向の長さが短い第２クリップ片の長手方向の長さと同じ長さ又はそれ以上の長さに前記固定部材を抜き取る抜き取り工程と、前記一対のクリップ片を開きがら前記第１クリップ片を前記巻き回した毛髪束の中心に挿入し、前記第１クリップ片と前記第２クリップ片とで前記巻き回した毛髪束を径方向に挟持し前記巻き回した状態を固定する固定工程とを有していることが好ましい。
【００２１】
上記構成によると、クリップ片を中心に毛髪束を巻き回すので、毛髪束の巻き回しを容易にできるとともに、複数の巻き回しの径にばらつきが生じにくくなり、セットの質をより向上させることができる。また、長手方向の長さの長いクリップ片を巻き回した毛髪の中心に残したまま巻き回し状態を維持、固定できるので、巻き回した状態を崩すことなく、巻き回した状態を容易に維持、固定でき、毛髪のセットをより容易かつ正確に行えるとともに、巻き回しの巻き付け強度を自在にできる。特に、巻き回しの中心となる長いクリップ片に細い棒状のものを用いると、固定部材の抜き取りがより容易になるとともに、巻き回しをより安定的に行える。
【００２２】
また、別の観点として、本発明のセット方法は、前記毛髪束をシート体により包囲した後に、前記シート体により包囲された前記毛髪束の先端を固定部材でロッドに固定する第１固定工程と、前記固定した位置から前記毛髪束を前記ロッドに巻き付ける巻き付け工程と、前記巻き付け工程後に前記固定部材を前記ロッドから抜き取る抜き取り工程と、前記毛髪束を前記ロッドに巻き付けた状態を固定する第２固定工程とを有していることが好ましい。
【００２３】
上記構成によると、毛先をロッドに固定して毛髪をロッドに巻き付けることができるので、巻き付けに熟練を必要とせず、容易に毛髪の巻き付けを行える。また、巻き付けた後に、巻き付けた状態をクリップやゴムで容易に固定できる。また、巻き付けた後にシート体にパーマ液を染み込ませることにより、パーマも容易に行える。特に、巻き付けた状態をクリップで容易に固定したり、クリップで固定した後にゴム（例えば、輪ゴム）での固定に変えたりできるので、熟練を必要とせずにセットやパーマ作業を容易に行えるとともに、パーマ液の浸透に必要な隙間を容易に確保できる。
【００２４】
また、本発明の毛髪のセット方法は、前記シート体に毛髪処理剤を吸液させる工程をさらに有していることが好ましい。
【００２５】
上記構成によると、前記シート体に吸液されている毛髪処理剤により、毛髪にカールの形状をより強固に形状記憶させることができるとともに、セットの持続時間をより長くすることができる。
【発明を実施するための最良の形態】
【００２６】
＜第１実施形態＞
以下、本発明に係る毛髪のセット用具及びセット方法の第１実施形態について、図面を用いて説明する。
【００２７】
図１は、本発明の第１実施形態に係る、毛髪セット用シート体、それを用いた毛髪のセット用具、及び、この毛髪のセット用具を用いた毛髪のセット方法の一工程の模式図、図２（ａ）は、本発明の第１実施形態に係る毛髪のセット用具に用いられる固定部材の模式図、（ｂ）は、本発明の第１実施形態に係る毛髪のセット用具を用いた毛髪のセット方法の一工程におけるセットの一部を示した断面模式図、図３は、本発明の第１実施形態に係る毛髪のセット用具を用いたセット方法におけるセット工程を順に示した模式図である。
【００２８】
毛髪のセット用具１は、毛髪束４を包囲している毛髪セット用シート体２と、シート体２に包囲された毛髪束４を巻き回した状態に維持、固定している固定部材３とを有するものである。なお、５は毛髪である。
【００２９】
シート体２は、毛髪束４のカールを形成したい部位を包囲しているものであり、毛髪処理剤（図示せず）が吸液されている。シート体２は、カール等の形状を記憶させたい毛髪の部位を包囲する大きさ（面積）を有しているものが好ましいが、カール等の形状を記憶させたい毛髪の部位の一部を包囲する大きさを有しているものを用いてもよい。また、シート体２は、毛髪とともに巻き回されるので、巻き回した際に破れにくい柔軟性を有するものが好ましく、例えば、綿１００％の材質を有するもの、吸液性を有する天然繊維及び合成樹脂繊維からなる耐久性を有するスパボンド不織布、レーヨン不織布、複数層の構造を有するもの等を用いることができる。さらに、シート体２には毛髪処理剤（図示せず）を吸液させているので、吸液性を有するシート体２が好ましい。なお、シート体２に吸液されているものは、毛髪処理剤に限らず、水を用いてもよい。
【００３０】
毛髪処理剤（図示せず）は、シート体で毛髪束を包囲する前にシート体へ吸液されており、速乾性及び形状記憶性を有するものが好ましい。速乾性としては、例えばアルコール成分等を含んでいるものを用いることが好ましい。また、形状記憶性としては、例えばアクリル樹脂等の形状記憶性等を有しているものを用いることが好ましく、例えば、ヘア用スタイリング剤において、ローションやミスト等を用いることができる。
【００３１】
固定部材３は、巻き回した毛髪束４において、毛先と巻き回した毛髪束４における巻き回しの始点とを挟持して、毛髪束４を巻き回した状態に維持、固定しているものである。固定部材３は、対向する一対のクリップ片３ｃと、一対のクリップ片３ｃに延設し、クリップ片３ｃの開閉操作をする操作部３ｄとを有したクリップを用いることができ、例えば図１に示すような毛髪束４を挟持できるヘアクリップ、ヘアピン等を用いることができる（図２（ａ）参照）。また、一変形例として、挟持することなく、棒状のものを用い巻き回した毛髪束４に刺し込むことにより、巻き回した状態に維持、固定してもよい。ここで、固定部材３は、毛髪束４を巻き回した状態に維持、固定している部位、すなわち、毛髪束４の毛先と巻き回した毛髪束４の巻き回しの始点とを挟持している部位において、毛髪束４の巻き回しに沿った湾曲形状を有している（図２（ｂ）参照）。この湾曲形状により、固定された部位においても、カールを形成することができ、全体としてきれいなカールを形成できる。なお、固定部材３は、図２に示すような湾曲形状を有しているものに限られず、平坦な形状を有するものを用いてもよい。また、固定部材３により毛髪束４を巻き回した状態に維持、固定する部位は、本実施形態で示すような毛先と巻き回した毛髪束４における巻き回しの始点とを挟持するものに限らず、一変形例として、巻き回した毛髪束４の巻き回していない毛髪の部位と巻き回した毛髪束４の途中とを挟持してもよい。
【００３２】
毛髪束４は、毛髪５を複数の束に分けた１つの束であり、後頭部において外観から視覚により認識できる最表面の毛髪と、その他の毛髪を複数の束に分けたものとに分けられている。毛髪束４のシート体２に包囲された部位は、指等に巻きつけて巻き回されている。ここで、毛髪束４の巻き回しの大きさや形状は、所望するカールの大きさや形状に応じて適宜変化させることができ、巻き回しの大きさや形状により様々な大きさや形状のカールを形成することができる。なお、毛髪束４の巻き回しの一変形例として、シート体２に包囲された毛髪束４をカーラーやロッド等に巻き付けて巻き回してもよい。
【００３３】
次に、本発明に係る毛髪のセット用具の使用方法及び本実施形態に係る毛髪のセット方法について説明する。まず、適量の毛髪束４を、毛髪処理剤（図示せず）が吸液されているシート体２により包囲する（図３（ａ）参照）。そして、シート体２により包囲された毛髪束４を、指などに巻き付けて巻き回し（図３（ｂ）参照）、巻き回した毛髪束４において、毛先と巻き回した毛髪束４における巻き回しの始点とを固定部材３により挟持して、毛髪束４を該巻き回した状態に維持、固定する（図３（ｃ）参照）。この作業を、セットしたい毛髪全てに行う（図１参照）。そして、シート体２に吸液されている毛髪処理剤（図示せず）が乾いた頃に、固定部材３及びシート体２をはずす。ここで、巻き回した状態に固定、維持しておく時間は定まっておらず、毛髪処理剤が乾燥する前でもよく、乾燥した後でもよい。なお、本実施形態に係る毛髪のセット用具及びセット方法により、巻き回した状態を１０分間維持、固定して毛髪処理剤を乾燥させた後に固定部材３及びシート体２をはずした場合のセットは８時間持続した。なお、巻き回した状態の維持、固定の方法や時間は上述の時間に限られず、巻き回した状態を５分間維持した後シート体２をはずし、毛髪に巻き回した状態がついた状態に触れることなく毛髪処理剤を自然乾燥させてもよい。
【００３４】
なお、上述の実施形態においては、巻き回した状態を固定部材３によって固定しているが、毛髪束の先端を巻き回した円筒状の中心に押入することにより巻き回した状態を維持、固定してもよい。これよって、固定部材３を用いることなくセットを行うことができる。
【００３５】
本実施形態に係る毛髪セット用シート体２、毛髪のセット用具１及び毛髪のセット方法によると、短時間で容易にセットをすることができるとともに、巻き回しの大きさを変えることにより様々な大きさのカールを形成できる、持ち運び容易な毛髪セット用シート体２、毛髪のセット用具１及びセット方法を提供することができる。また、従来のセット装置及びセット方法で用いられていた熱を加える工程を要することなく、毛髪のセットをすることができるので、毛髪を傷めにくくなるとともに、熱の電源を必要としないため何処でも使用することができる。さらに、シート体２により包囲した毛髪束４を巻き回した状態に維持、固定している間は、手を加える必要がないので、巻き回した状態に維持、固定している間は、他の作業、準備に支障をきたさずに行える。そして、複数のシート体２と、固定部材３とからなる毛髪のセット用具１のため、従来の器具よりも製造コストを抑えることができる。
【００３６】
また、固定部材３が、毛髪束４を挟持する部位において湾曲形状を有しているので、固定部材３による固定部位においても、カールを形成することができ、きれいなカールを形成できる。
【００３７】
また、シート体２に毛髪処理剤（図示せず）が吸液されているので、毛髪にカール形状をより強固に記憶させることができ、セットの持続時間をより長くできる毛髪セット用具１及びセット方法を提供することができる。
【００３８】
また、上述の実施形態のシート体２には内部に細い金属芯が埋め込まれていたり、金属粉末や樹脂が分散して含まれていたりすることにより、シート体２内部に金属又は樹脂が含まれていてもよい。これによって、毛髪束を包囲したシート体を所望の形状に安定して固定させることができる。なお、金属や樹脂の種類は特に限定されないが、シート体を所望の形状、例えば巻き回した状態に維持、固定できる硬化性を有していることが好ましい。
【００３９】
＜第２実施形態＞
次に、本発明に係る毛髪のセット用具及びセット方法を用いた固定部材の第２実施形態について、図面を用いて説明する。図５は、本発明の第２実施形態に係る毛髪のセット用具を用いた毛髪のセット方法の一工程の模式図、図６は、本発明の第２実施形態に係る毛髪のセット用具に用いられる固定部材の模式図、図７は、本発明の実施形態に係る毛髪のセット用具を用いたセット方法におけるセット工程を順に示した模式図、図８は、図７のセット工程の一部を詳細に示した拡大模式図である。なお、第１実施形態における毛髪セット用シート体、毛髪のセット用具を用いた毛髪のセット方法における符号１〜４がふられている各部と、本実施形態において符号２１〜２４がふられている各部は、順に同様のものであるので、説明を省略することがある。
【００４０】
固定部材２３は、第１クリップ片２３ａと第１クリップ片２３ａに対向した第２クリップ片２３ｂとを有する一対のクリップ片２３ｃと、一対のクリップ片２３ｃに延設し第１クリップ片２３ａ及び第２クリップ片２３ｂの開閉操作をする操作部２３ｄとを有しているものである。そして、第２クリップ片２３ｂの長手方向の長さが、第１クリップ片２３ａの長手方向長さよりも短く、第１クリップ片２３ａの長手方向の長さの約２／３である点において、第１実施形態に係る固定部材３と異なっている。なお、第２クリップ片２３ｂの長手方向長さと第１クリップ片２３ａの長手方向の長さとの比率は、本実施形態において約２：３であるが、この比率に限られず、例えば、１：２や１：３のものを用いてもよい。なお、毛髪束２４の巻き回した状態を固定できるように、第２クリップ片の長さが、第２クリップ片２３ｂを毛髪束２４の巻き回しの最外周の一部に載置できる長さのものであることが好ましい。
【００４１】
次に、本実施形態に係る毛髪のセット用具の使用方法及び本実施形態に係る毛髪のセット方法について説明する。まず、適量の毛髪束２４を、毛髪処理剤（図示せず）が吸液されているシート体２２により包囲し、シート体２２の先端及び毛髪束の先端を固定部材２３で挟持する（図７（ａ）参照）。ここで、固定部材２３の第１クリップ片２３ａが毛髪束２４の裏側に接するように位置しており、毛髪束の先端を第１クリップ片２３ａと第２クリップ片５３ｂとで挟持している。なお、外巻きにセットする場合は、シート体２２で包囲された毛髪束２４の表側（図７（ａ））に第１クリップ片２３ａが位置するように挟持し、内巻きにセットする場合、本実施形態に示すように、シート体２２で包囲された毛髪束２４の裏側（図７（ａ））に第１クリップ片２３ａが位置するようにする。そして、シート体２２により包囲された毛髪束２４を第１クリップ片２３ａに巻き付ける（図７（ｂ）参照）。
【００４２】
次に、図８を用いて、固定部材２３で巻き回した毛髪束２４の固定方法を詳細に説明する。毛髪束２４を巻き回した状態において第１クリップ片２３ａを巻き回した毛髪束２４の中心に残したまま、第２クリップ片２３ｂの長さ分だけ巻き回した毛髪束２４から固定部材２３を矢印方向に抜き取る（図８（ａ）参照）。ここで、第１クリップ片２３ａの第２クリップ片２３ｂよりも長い部分は、毛髪束２４の巻き回しの中心部に在る（図８（ｂ）参照）。そして、図示しない手で操作部２３ｄを持ち、第１クリップ片２３ａと第２クリップ片２３ｂとを開き（図８（ｃ）参照）、第２クリップ片２３ｂを巻き回した毛髪束２４の外側に載置できる位置まで巻き回した毛髪束２４の中心（図８（ｃ）に示した矢印方向）に第１クリップ片２３ａを挿入し（図７（ｃ）、図８（ｄ）参照）、第１クリップ片２３ａと第２クリップ片２３ｂとで巻き回した毛髪束を挟持し、毛先と巻き回した毛髪束４の巻き回しの始点とを固定部材３により挟持して、毛髪束４を巻き回した状態に固定する（図７（ｄ）参照、図８（ｅ）参照）。
【００４３】
そして、この作業を、セットしたい毛髪の全てに行い（図５参照）、第１実施形態と同様に、シート体２２に吸液されている毛髪処理剤（図示せず）が乾いた頃に、シート体２２及び固定部材２３をはずす。ここで、巻き回した状態に固定しておく時間は定まっておらず、毛髪処理剤が乾燥する前でもよく、乾燥した後でもよい。
【００４４】
なお、本実施形態において、内側にカールが形成されるようなセット方法を説明したが、外巻きにしたい場合は、上述したように図７（ａ）に示すシート体２２の表側に第１クリップ片２３ａが位置するように固定部材２３の向きを変えるとよい。また、本実施形態において、第２クリップ片２３ｂの固定部位が湾曲していないが、湾曲しているものを用いてもよい。第２クリップ片２３ｂの固定部位が湾曲していれば、固定部位においてもカールを形成することができ、全体としてよりきれいなカールを形成することができる。
【００４５】
本実施形態に係る固定部材を第１実施形態に係る毛髪のセット用具及びセット方法に用いると、第１実施形態と同様の効果が得られる。また、毛髪束２４の巻き回しを容易にできるとともに、巻き回した状態を崩すことなく、容易に巻き回した状態を維持、固定できる。したがって、毛髪のセットをより容易かつ正確に行える。また、固定部材を中心に毛髪束を巻き回すので、複数の巻き回しの径にばらつきが生じにくくなり、セットの質をより向上させることができる。さらに、巻き回しの巻き付け強度を自在にできる。
【００４６】
＜第３実施形態＞
次に、本発明の第１実施形態に係る毛髪セット用シート体、毛髪のセット用具及びセット方法で用いた固定部材の第３実施形態について、図面を用いて説明する。図９は、本発明の毛髪のセット用具を用いた毛髪のセット方法に用いられる第３実施形態に係る固定部材の模式図である。なお、第２実施形態における固定部材における符号３ｃ，３ｄがふられている各部と、本実施形態において符号３３ｃ，３３ｄがふられている各部は、順に同様のものであるので、説明を省略することがある。
【００４７】
固定部材３３は、第１クリップ片３３ａと第１クリップ片３３ａに対向した第２クリップ片３３ｂとを有する一対のクリップ片３３ｃを有し、第２クリップ片３３ｂの長手方向の長さが、第１クリップ片３３ａの長手方向の長さよりも短く、第１クリップ片３３ａの長手方向の長さの約２／３である点、及び、第１クリップ片３３ａが細い棒状のものである点において、第１実施形態と異なっている。なお、第２クリップ片の長手方向の長さと第１クリップ片の長手方向の長さとの割合は、本実施形態において約２：３であるが、第２実施形態で述べたようにこの比率に限られない。
【００４８】
本実施形態に係る固定部材を第１実施形態にかかる毛髪のセット用具１及びセット方法に用いると、第１実施形態及び第２実施形態と同様の効果が得られる。また、巻き回しの中心となる第１クリップ片３３ａが細い棒状のものなので、固定部材の抜き取りが容易であるとともに、巻き回しをより小さく安定的にでき、巻き回しの巻き付け強度を自在にできる。
【００４９】
＜第４実施形態＞
次に、本発明の第１実施形態に係る毛髪セット用シート体、毛髪のセット用具及びセット方法に用いる固定部材の第４実施形態について、図面を用いて説明する。図１０は、本発明の毛髪のセット用具を用いた毛髪のセット方法に用いられる第４実施形態に係る固定部材の模式図である。なお、第１実施形態における固定部材における符号３ｃ，３ｄがふられている各部と、本実施形態において符号４３ｃ，４３ｄがふられている各部は、順に同様のものであるので、説明を省略することがある。
【００５０】
固定部材４３は、第１クリップ片４３ａと第１クリップ片４３ａに対向した第２クリップ片４３ｂとを有する一対のクリップ片４３ｃを有し、第２クリップ片４３ｂの長手方向の長さが、第１クリップ片４３ａの長手方向長さよりも短く、第１クリップ片４３ａの長手方向の長さの約２／３である点、及び、第１クリップ片４３ａが円筒形状である点において、第１実施形態で用いた固定部材と異なっている。そして、円筒形状の第１クリップ片４３ａは、操作部４３ｄ側に広くなるテーパー形状を有している。なお、本実施形態において、第１クリップ片４３ａにテーパー形状を有する円筒形状を有するものを用いたが、広がりのない円柱形状のものを用いてもよい。また、第１クリップ片４３ａに、第１実施形態や第２実施形態に示した第１クリップ片を円筒形状の部材に挿入したものを用いても良い。
【００５１】
本実施形態に係る固定部材を第１実施形態にかかる毛髪のセット用具１及びセット方法に用いると、第１実施形態及び第２実施形態と同様の効果が得られる。また、円筒形状の第１クリップ片４３ａを中心に毛髪束を巻き回すので、巻き回しの径にばらつきが生じにくくなり、セットの質をより向上させることができる。また、円筒形状の第１クリップ片４３ａが操作部４３ｄ側に広いテーパー形状であるので、巻き回した毛髪束から第１クリップ片４３ａが抜き取りやすくなる。
【００５２】
また、第３実施形態および第４実施形態においては、第２クリップ片３３ｂ，４３ｂの固定部位が湾曲していないが、湾曲しているものを用いてもよい。これにより、固定部位においてもカールを形成することができ、全体としてよりきれいなカールを形成することができる。
【００５３】
＜第５実施形態＞
次に、本発明に係る毛髪のセット用具及びセット方法の第５実施形態について、図面を用いて説明する。図１１の（ａ）は本発明の第５実施形態に係る毛髪のセット用具に用いた固定部材の斜視図、（ｂ）は本発明の第５実施形態に係る毛髪のセット用具に用いた固定部材の長手方向の断面を示した模式図、（ｃ）は図１１（ａ）の側面を示した模式図、（ｄ）は（ａ）に示した掛架部材の模式図、図１２は本発明の実施形態に係る毛髪のセット用具を用いたセット方法におけるセット工程を順に示した模式図である。なお、第１実施形態における毛髪セット用シート体、毛髪のセット用具及びこれを用いた毛髪のセット方法における符号１〜４がふられている各部と、本実施形態において符号５１〜５４がふられている各部は、順に同様のものであるので、説明を省略することがある。
【００５４】
毛髪のセット用具５１は、第１クリップ片５３ａ及び第１クリップ片５３ａに対向した第２クリップ片５３ｂを有する一対のクリップ片５３ｃと、一対のクリップ片５３ｃに延設し、第１クリップ片５３ａ及び第２クリップ片５３ｂの開閉操作をする操作部５３ｄとを有する固定部材５３と、第１クリップ片５３ａが挿入された中空円筒状のロッド５３ｅと、ロッド５３ｅの両端の縁部に設けられている凹凸の一端の凸部５３ｇと他端の凸部５３ｇとの間に掛架される掛架部材５３ｆと、環状部材５６とを有している点において第１実施形態と異なっている。そして、使用時には、図１１（ａ）に示すように、掛架部材５３ｆに形成された孔５３ｈの各々をロッド５３ｅ両端の凸部５３ｇの各々に引っ掛けることにより、ロッド５３ｅの中空において掛架部材５３ｆがロッド５３ｅの一端と多端との間に掛架されており、ロッド５３ｅの内周面と掛架部材５３ｆとの間に形成された空間に第１クリップ片５３ａが挿入されている。なお、ロッド５３ｅ内の上述の空間内へ第１クリップ片５３ａの挿入や抜き取りが自在に行える。また、第１クリップ片５３ａが、ロッド５３ｅ内に挿入され、掛架部材５３ｆによってロッド５３ｅに固定されているときは、第１クリップ片５３ａとロッド５３ｅとが一体になるので、操作部５３ｄを操作すると、第１クリップ片５３ａとロッド５３ｅとの一体と第２クリップ片５３ｂとでクリップの作用が生じる。
【００５５】
掛架部材５３ｆは、図１１（ｄ）に示す長方形の弾性体であり、両端にはロッド５３ｅの両端の縁部の凸部５３ｇに引っ掛けられる孔５３ｈが１つずつ形成されている。この第１クリップ片固定部材５３ｆには伸縮自在な弾性体の樹脂を使用することが好ましく、本実施形態においてはゴムを使用している。また、ロッド５３ｅは、カールの大きさに合わせて円筒の径の大きいものや小さいものを用いることができる。また、第２クリップ片５３ｂは、第１クリップ片５３ａよりも短いものを用いてもよいが、パーマを行う場合は、シート体全体を第２クリップ片５３ｂとロッドとで挟むことができるように、第１クリップ片５３ａと同じ長さのものを用いることが好ましい。そして、第２クリップ片５３ｂはロッド５３ｅとともに毛髪束５４が巻き付けられるので、ロッド５３ｅの側面に沿った形状を有するものが好ましく、細い棒形状のもの等を用いてもよい。
【００５６】
環状部材５６は、ロッドに巻き付けた毛髪束５４を巻き付けた状態に固定するために用いられ、本実施形態では輪ゴムが用いられている。そして、ロッドの一端の凸部５３ｇと他端の凸部５３ｇとに引っ掛けることにより、ロッド５３ｅの外周面においてロッドの一端と他端との間に掛架される。なお、固定は、クリップ片５３ｃでも行えるので、セット用具５１に環状部材５６がないものを用いてもよい。
【００５７】
次に、クリップ片５３ｃ及び掛架部材５３ｆをロッド５３ｅに取り付ける方法を説明する。まず、孔５３ｈの各々がロッド５３ｅの一端及び他端にくるように、掛架部材５３ｆをロッド５３ｅの中空内部へ挿入し、掛架部材５３ｆの両端をロッド５３ｅの外側へ引っ張り、掛架部材５３ｆをロッド５３ｅの長手方向に伸ばし各々の孔５３ｈを両端の凸部５３ｇにかける。そうすると、ロッド５３ｅの内周面と掛架部材５３ｆとの間に空間Ａ（図１１（ｃ）参照）が形成される。この空間Ａに第１クリップ片５３ａを挿入する。なお、孔５３ｈをかける凸部５３ｇの位置は、第１クリップ片５３ａの大きさに合わせて下方や上方の凸部にかけて良い。
【００５８】
続いて、図１２を用いて、本実施形態に係る毛髪のセット用具の使用方法及び本実施形態に係る毛髪のセット方法について説明する。まず、適量の毛髪束５４を、毛髪処理剤（図示せず）が吸液されているシート体５２により包囲し、シート体５２の先端及び毛髪束の先端を固定部材５３で挟持する（図１２（ａ）参照）。ここで、毛髪束５４の裏側にロッド５３ｅがくるように固定部材５３を向け、毛髪束５４の先端を第２クリップ片５３ｂとロッド５３ｅとで挟持している。なお、外巻きにする場合は毛髪束５４の表側（図１２（ａ））にロッド５３ｅが位置するようにし、内巻きにする場合は本実施形態で示すように毛髪束５４の裏側（図１２（ａ））にロッド５３ｅが位置するようにする。そして、シート体５２により包囲された毛髪束５４をロッド５３ｅに巻きつける（図１２（ｂ）参照）。所望量巻き付けた後に、図示しない手で操作部５３ｄを持ち、第１クリップ片５３ａと第２クリップ片５３ｂとを開きながら、ロッド５３ｅおよび毛髪束５４から第１クリップ片５３ａ及び第２クリップ片５３ｂを一旦抜き取る。そして、第１クリップ片５３ａをロッド５３ｅの中空へ挿し込み、第２クリップ片５３ｂを巻きつけた毛髪束５４の外側に載置して毛髪束５４をロッド５３ｅに巻き付けた状態へ固定する（図１２（ｃ）参照）。なお、固定部材５３で固定してから、環状部材５６をロッド５３ｅの両端の凸部５３ｇ間にかけて固定部材５３を抜き取り、環状部材５６で毛髪束５４をロッド５３ｅに巻き付けた状態に固定してもよい（図１２（ｄ）参照）。このようにゴムで固定すると、腐食を起こさせやすいパーマ液などをその後浸透させた場合でも固定部材５３の腐食や色の変化を抑止できる。
【００５９】
そして、この作業を、セットしたい毛髪全てに行い（図５参照）、第１実施形態と同様に、シート体５２に吸液されている毛髪処理剤（図示せず）が乾いた頃に、シート体５２及び固定部材５３をはずす。ここで、巻き付けた状態に固定しておく時間は定まっておらず、毛髪処理剤が乾燥する前でもよく、乾燥した後でもよい。なお、毛髪処理剤を吸液させずにシート体５２で毛髪束を包囲し、ロッド５３ｅに巻き付けた状態に固定してからパーマ液をシート体５２及び毛髪束５４へ吸液させてもよい。
【００６０】
本実施形態に係る固定部材５３を用いた毛髪のセット用具５１及びセット方法によると、第１実施形態と同様の効果が得られる。また、ロッド５３ｅの中空に挿入されたクリップ片５３ｃを固定した固定部材５３を用いて毛髪束５４をロッド５３ｅに巻き付けることができるので、複数の巻き回しの径にばらつきが生じにくくなるとともに巻き付けを安定して行えるので、セットの質をより向上させることができる。特に、ロッド５３ｅに挿入していない第２クリップ片５３ｂとロッド５３ｅとの間に毛先を挟持しロッド５３ｅに毛先を固定できるので、ロッド５３ｅへの毛髪束５４の巻き付けに熟練を必要とせず、容易に巻き付けを行える。また、掛架部材５３ｆによってロッド５３ｅに挿入された第１クリップ片５３ａをロッド５３ｅに固定できるので、クリップ片５３ｃとロッド５３ｅとの大きさの違いによる心配がない。したがって、カールの大きさに合わせてロッド５３ｅを交換してもクリップ片５３ｃを交換する必要がない。さらに、巻き付けた後にシート体５２にパーマ液を染み込ませることにより、パーマを容易に行える。これにより、パーマやセット作業が熟練を必要とせずに容易に行えるとともに、パーマ液や毛髪処理剤の浸透に必要な隙間を容易に確保できる。また、毛髪束５４をロッド５３ｅに巻き付けた後に、巻き付けた状態をクリップ片５３ｃで容易に固定できる。そして、クリップ片５３ｃで固定した後に環状部材５６での固定に変えると、１つのセット用具５１に対してクリップ片５３ｃが１つで足りるとともにパーマ液を浸透させてもクリップ片の腐食の心配がない。
【００６１】
また、本実施形態では、複数の毛髪束を同時に行っているが、１つずつの毛髪束に順に巻き付けや固定を行ってもよい。ここで、固定を環状部材５６で行う場合、１つの毛髪束５４の固定後はこれに用いたクリップ片５３ｃを次の毛髪束に使用できるので、クリップ片５３ｃが一組の毛髪セット用具に１つで足りる。これによって、毛髪セット用具の材料を少なくできる。
【００６２】
なお、本発明は、特許請求の範囲を逸脱しない範囲で設計変更できるものであり、上記実施形態や変形例に限定されるものではない。例えば、第１実施形態において毛髪束４の毛先に近い部位をシート体２により包囲して、該包囲された毛髪束４の部位を巻き回しているが、一変形例として、図４に示すような、毛髪束１４を根元付近から毛先にかけて全体的にシート体１２により包囲して、該包囲された毛髪束１４を一定方向に捻り続けて、捻られた毛髪束４が一まとまりとなった状態を形成し、固定部材１３により該状態に維持、固定することとしてもよい。これにより、従来の熱を加えながらスクランチ（握ったり掴んだり）してセットしていた男性用や短髪用等のセットを容易に行うことができる。
【００６３】
また、他の変形例として、毛髪束の根元付近から毛先までの全体をシート体により包囲して、包囲された毛髪束を指に巻き付けて、根元付近から毛先まで巻き回し、該巻き回した状態に維持、固定することとしてもよい。ここで、巻き回しを大きなものとすることにより、従来、ホットカーラー等を用いて形成していた頭のトップの部位のボリュームを容易に素早く形成することができる。また、巻き回しを小さなものや細かいものにすることにより、毛髪に小さくて細かいカールやウェーブを形成することができる。
【００６４】
また、他の変形例として、くせのある毛髪束をシート体によって挟み、毛髪を長さ方向に、シート体及び毛髪束を伸長や押圧等させて、該伸長、押圧等させた状態に固定部材等で維持、固定することとしてもよい。これにより、従来、くせのある毛髪を伸長させていたセット装置及びセット方法として、熱を加えながら毛髪への痛みに注意してブラシなどを用いていたが、熱を用いることなく容易にくせのある毛髪を伸長させることができるとともに、毛髪処理剤により毛髪の表面の艶を容易に出すことができる。
【００６５】
また、本実施形態においては、シート体２に包囲された毛髪束４を巻き回して維持、固定した後、巻き回した部位に熱を加えることとしてもよい。これにより、カール形状をより強固に記憶させることができセットの持続時間をより長くすることができるとともに、セットにかかる時間もより短縮できる。
【００６６】
また、本発明及び本実施形態では、毛髪にウェーブやカールを一時的に記憶させるセット用具及びセット方法を説明しているが、このセット用具及びセット方法を永久的に記憶させるパーマネントセット用具又はパーマネントセット方法として用いてもよい。例えば、上述の実施形態において、毛髪束を包囲する前に、シート体へ毛髪処理剤（図示せず）を吸液させているが、毛髪処理剤を吸液させていないシート体を用いて毛髪束を包囲し、シート体及び該包囲された毛髪束をカーラー等に巻き付けて、巻き付けた状態に維持、固定した後に、例えば、パーマ用の処理剤などをシート体や毛髪束へ塗布し、熱を加えてもよい。これにより、本実施形態に係る毛髪のセット装置及びセット方法を用いて、従来のロッド等を用いたパーマネントセット及びパーマネントセット方法よりも、容易にパーマネントウェーブをかけることができるとともに、様々な大きさのカールを形成することができる。
【図面の簡単な説明】
【００６７】
【図１】本発明の第１実施形態に係る毛髪のセット用具を用いた毛髪のセット方法の一工程の模式図である。
【図２】（ａ）は、本発明の第１実施形態に係る毛髪のセット用具に用いられる固定部材の模式図、（ｂ）は、本発明の第１実施形態に係る毛髪セット用具を用いた毛髪のセット方法の一工程におけるセットの一部を示した断面模式図である。
【図３】本発明の第１実施形態に係る毛髪のセット用具を用いたセット方法におけるセット工程を順に示した模式図である。
【図４】本発明の第１実施形態に係る毛髪のセット用具を用いた毛髪のセット方法の一変形例における一工程の模式図である。
【図５】本発明の第２実施形態に係る毛髪のセット用具を用いた毛髪のセット方法の一工程の模式図である。
【図６】本発明の第２実施形態に係る毛髪のセット用具に用いられる固定部材の模式図である。
【図７】本発明の第２実施形態に係る毛髪のセット用具を用いたセット方法におけるセット工程を順に示した模式図である。
【図８】本発明の第２実施形態に係る毛髪のセット用具を用いた毛髪のセット方法における図７のセット工程の一部を詳細に示した拡大模式図である。
【図９】本発明の毛髪のセット用具を用いた毛髪のセット方法に用いられる第３実施形態に係る固定部材の模式図である。
【図１０】本発明の毛髪のセット用具を用いた毛髪のセット方法に用いられる第４実施形態に係る固定部材の模式図である。
【図１１】（ａ）は本発明の第５実施形態に係る毛髪のセット用具に用いた固定部材の斜視図、（ｂ）は本発明の第５実施形態に係る毛髪のセット用具に用いた固定部材の長手方向の断面を示した模式図、（ｃ）は図１１の側面を示した模式図、（ｄ）は（ａ）に示した掛架部材の模式図である。
【図１２】本発明の実施形態に係る毛髪のセット用具を用いたセット方法におけるセット工程を順に示した模式図である。
【符号の説明】
【００６８】
１，２１，５１  毛髪のセット用具
２，２２，５２  シート体
３，２３，３３，４３，５３  固定部材
２３ａ，３３ａ，４３ａ，５３ａ  第１クリップ片
２３ｂ，３３ｂ，４３ｂ，５３ｂ  第２クリップ片
３ｃ，２３ｃ，３３ｃ，４３ｃ，５３ｃ  一対のクリップ片
２３ｄ，３３ｄ，４３ｄ，５３ｄ  操作部
５３ｅ  ロッド
５３ｆ  掛架部材
５３ｇ  凸部
５３ｈ  孔
４，２４，５４  毛髪束
５，２５，５５  毛髪
５６  環状部材
Ａ  空間
【図１】
2009112801.tif 000003
【図２】
2009112801.tif 000004
【図３】
2009112801.tif 000005
【図４】
2009112801.tif 000006
【図５】
2009112801.tif 000007
【図６】
2009112801.tif 000008
【図７】
2009112801.tif 000009
【図８】
2009112801.tif 000010
【図９】
2009112801.tif 000011
【図１０】
2009112801.tif 000012
【図１１】
2009112801.tif 000013
【図１２】
2009112801.tif 000014